(57)【要約】【課題】  電子ビーム断層撮影（ＥＢＴ）スキャナを用いて局所的な肺機能を測定する。【解決手段】  患者（２０）の少なくとも肺断面の画像スキャンをトリガし、患者による空気の吸息及び呼息の少なくとも一方の間に肺の断面をスキャンして肺画像データを取得し、患者による空気の吸息及び呼息の少なくとも一方の間に肺機能を測定して肺機能データを取得する（４２０、４３０、４４０、４４５）。イメージングする肺の断面を特定するのに患者のプレビュー・スキャンを実行すること（４１５）や、患者の診断に用いるために、肺画像データと肺機能データとを組み合わせることができる（４５０）。また、肺機能データを処理して、肺の減弱対時間のプロットを生成することもできる。【選択図】      図３
2005287522.tif 000002
【特許請求の範囲】
【請求項１】
肺をイメージングする方法（４００）であって、
患者（２０）の少なくとも肺断面の画像スキャンをトリガし（４３０）、
前記患者（２０）による空気の吸息及び呼息の少なくとも一方の間に肺の断面をスキャンして肺画像データを取得し（４２０、４３０）、
前記患者（２０）による空気の吸息及び呼息の少なくとも一方の間に肺機能を測定して肺機能データを取得する（４３０、４４５）、
ことを含む方法。
【請求項２】
前記患者（２０）の診断に用いるために、前記肺画像データと前記肺機能データを組み合わせること（４５０）を更に含む請求項１に記載の方法（４００）。
【請求項３】
前記トリガ段階が、前記患者の肺の空気の流れに基づいて前記画像スキャンをトリガすることを含む請求項１に記載の方法（４００）。
【請求項４】
前記スキャン段階によって、前記肺の空気の流れと肺の空気容量の少なくとも１つが変化するときの前記肺画像データが動的に取得されることを特徴とする請求項１に記載の方法（４００）。
【請求項５】
前記スキャン段階によって、前記肺の空気の流れと肺の空気容量の少なくとも１つが一定に保たれるときの前記肺画像データが取得されることを特徴とする請求項１に記載の方法（４００）。
【請求項６】
診断用イメージングシステム（８、３００）であって、
肺の空気の流れ、前記肺の体積、前記肺の動き、及び前記肺の密度の少なくとも１つに基づいて患者（２０）のイメージング・スキャンをトリガするトリガと、
ターゲット（１４、３３０）に当てる電子ビーム（１２）を発生させるエネルギー供給源（３２、３２４）と、
前記電子ビーム（１２）に応答して、前記患者（２０）の肺の少なくとも一部に照射される放射線を発生させるターゲット（１４、３３０）と、
前記イメージング・スキャンの際に前記患者（２０）の肺に前記放射線が照射された後に、前記放射線を受ける検出器（２２、３４０）と、
前記放射線に基づいて前記検出器（２２、３４０）から肺画像データを取得するデータ収集システム（３６０）と、
前記患者（２０）の診断に用いるために、肺機能データと前記肺画像データとを組み合わせる再構成システム（３６２）と、
を備えるシステム（８、３００）。
【請求項７】
前記データ収集システム（３６０）は、前記肺の空気の流れと肺の空気容量の少なくとも１つが一定に保たれるときの肺画像データを取得することを特徴とする請求項６に記載のシステム（８、３００）。
【請求項８】
患者（２０）の肺機能を測定し、前記肺の空気の流れと肺の空気体積の少なくとも１つに基づく肺機能データを生成する肺活量計（３７０）を更に含むことを特徴とする請求項６に記載のシステム（８、３００）。
【請求項９】
前記トリガは、前記肺活量計（３７０）からの前記肺機能データに基づいて前記イメージング・スキャンをトリガすることを特徴とする請求項８に記載のシステム（８、３００）。
【請求項１０】
患者（２０）の肺の異常を検出する方法（４００）であって、
肺の空気の流れと肺の空気体積の少なくとも１つに基づく肺機能データを取得し（４２０、４３０、４４５）、
前記肺機能データに基づいて前記肺のスキャンをトリガし（４３０）、
前記肺の断面をスキャンして、一回の掃引で肺画像を取得し（４３０）、
肺の異常を検出するために、前記肺機能データを前記肺断面画像と組み合わせて検査する（４５０）、
ことを含む方法（４００）。
【発明の詳細な説明】
【技術分野】
【０００１】
本発明は一般に、電子ビーム断層撮影（ＥＢＴ）スキャナを用いたイメージングに関する。具体的には、本発明は、ＥＢＴスキャナを用いて局所的な肺機能を測定することに関する。
【背景技術】
【０００２】
医療診断用イメージングシステムは、Ｘ線システム、コンピュータ断層撮影（ＣＴ）システム、超音波システム、電子ビーム断層撮影（ＥＢＴ）システム、磁気共鳴（ＭＲ）システム及び同様のもののような種々のイメージング診断装置を含む。医療診断用イメージングシステムは、例えば患者を透過するＸ線のようなエネルギー源に曝すことよって、患者のような被検体の画像を生成する。生成された画像は、多くの目的のために用いることができる。例えば、被検体の内部欠陥を検出することができる。更に、内部構造又は整列位置の変化を求めることができる。また、被検体内の流体の流れを表すことができる。更に、画像はまた、被検体内の構成要素の存在又は欠如を示すことができる。医療診断用イメージングから得られた情報は、医薬及び製造を含む多くの分野における用途を有する。
【０００３】
ＥＢＴスキャナは、一般に、Ｂｏｙｄ他の米国特許第４，３５２，０２１号（１９８２年９月２８日）、及び全てＲａｎｄ他の米国特許第４，５２１，９００号（１９８５年１月４日）、米国特許第４，５２１，９０１号（１９８５年１月４日）、米国特許第４，６２５，１５０号（１９８６年１１月２５日）、米国特許第４，６４４，１６８号（１９８７年２月１７日）、米国特許第５，１９３，１０５号（１９９３年３月９日）、米国特許第５，２８９，５１９号（１９９４年２月２２日）、米国特許第５，７１９，９１４号（１９９８年２月１７日）、及び米国特許第６，２０８，７１１号、並びにＨａｒｍａｎの米国特許第５，４０６，４７９号（１９９５年４月１１日）に記載されている。
【特許文献１】米国特許第４，３５２，０２１号
【特許文献２】米国特許第４，５２１，９００号
【特許文献３】米国特許第４，５２１，９０１号
【特許文献４】米国特許第４，６２５，１５０号
【特許文献５】米国特許第４，６４４，１６８号
【特許文献６】米国特許第５，１９３，１０５号
【特許文献７】米国特許第５，２８９，５１９号
【特許文献８】米国特許第５，７１９，９１４号
【特許文献９】米国特許第６，２０８，７１１号
【特許文献１０】米国特許第５，４０６，４７９号
【発明の開示】
【発明が解決しようとする課題】
【０００４】
上記引用特許に記載されているように、電子ビームは真空にされたほぼ円錐形のハウジングチャンバの上流側端の電子源によって生成される。電子源のカソード上の大きな負電位（例えば−１３０ｋＶ又は−１４０ｋＶ）が、ハウジングチャンバの軸線に沿って下流側に電子ビームを加速する。更に下流側において、ソレノイド、四極子、及び偏向コイルを含むビーム光学系が、Ｘ線生成ターゲットに沿ってスキャンするようにビームを集束及び偏向させる。ＥＢＴシステムは、高エネルギー電子ビームを使用してターゲットに当て、画像化されるべき被検体を照射するためのＸ線を生成する。電子がターゲットに当たる位置は、「ビームスポット」と呼ばれる。ターゲットにおける最終的なビームスポットは、楕円形の形状にされ、スキャナによって与えられた画像の鮮明度が低下しないように適切に鮮鋭化され、収差のない状態にされなければならない。
【０００５】
ターゲットによって生成されたＸ線は、患者又は他の被検体を透過し、検出器アレイによって検出される。ターゲット状の検出器アレイは、対称なスキャナ軸線に対して直角な平面と同軸でありかつ該平面を定める。検出器アレイからの出力は、デジタル化され、格納され、コンピュータ処理されて、再構成された被検体のＸ線スライス画像、典型的には心臓又は肺といった患者の解剖画像を生成する。
【０００６】
ＥＢＴスキャナは、短時間で多くのビュー角度の収集と多数のスライスのスキャンを可能にする。機械的に移動するガントリは存在しない。高分解能と動的スキャンモードとの両方を与える一方で、従来のＸ線管を電子ビーム技術に置き換えることによって、どのようなターゲット又は検出器の動きに対する必要性をも無くすことができる。
【０００７】
集束された電子ビームを、被検体の下に位置された２１０度のターゲットリングに沿って磁気的に操作することによって多数のビューを生成することができる。ターゲットリングの反対側は、被検体上を２１６度の円弧で取り囲むカドミウムタングステン酸塩結晶の固定検出器リングである。放射されたＸ線の強度を記録するために検出器リングの光ダイオードが用いられる。Ｘ線強度データは、画像を生成するのに処理することができる。
【０００８】
医療診断用イメージングの１つの重要な機能は、肺機能及び肺活量を測定することである。肺測定は、患者の肺又は肺機能に関連する疾患及び他の問題の診断に用いることができる。肺の情報は、気腫のような状態を診断し処置するのに用いることができる。
【０００９】
典型的には、肺機能の測定値を得るために、空気の流量を測定する肺活量計又は他の装置が用いられる。患者は、深く息を吸い込み、空気を迅速に吐き出す呼気をする。肺活量計は、肺の中の空気体積の時間的変化を計測するものである。残念なことに、この方法で肺活量計を用いると、単に肺全体の機能が測定されるのみである。更に、肺活量計を用いる測定は粗測定であり、疾患の初期発症段階のような肺機能の微妙な変化を検出することができない。従って、肺の疾患の早期発見を可能にするシステムが非常に望まれる。更に、肺全体ではなく肺の一部の測定を可能にするシステムも非常に望まれる。
【００１０】
肺活量計は、患者が息を吸って、次いで迅速に、通常１−２秒間にわたって吐き出す間の肺機能を測定する。すなわち、肺活量計は、患者が吸い込み又は吐き出す空気の体積を時間の関数として測定する。肺活量計はまた、体積が時間の関数として変化するときの流れ即ち流量を計測する。現在のところ、測定値は肺全体に対して得られる。しかしながら、肺活量計と組み合わせて肺の体積のこの迅速な変化をスキャンする良いイメージング方法が現在のところ存在しない。従来のＣＴイメージングシステムは、局所的な肺機能の画像を十分に早く取得できるものではない。従来のシステムは、５００ｍｓ毎に１００ｍｓのスキャン時間でＥＢＴ画像を得ようとするものであった。肺の吸い込み−吐き出し挙動の長さは、ほぼ２秒間にすぎないので、５００ｍｓという時間は、肺に発症している疾患又は他の状態を診断するのに粗すぎる（細部が低レベルである）患者の肺のサンプリングとなる。或いは、従来技術は、１１６ｍｓ毎のスキャンを用いており、その結果として、特に幼児、１０代の子供、及び青少年に対しては過度の被爆量となる。従って、局所的な肺機能の画像を取得するのに十分なだけ迅速にスキャンすることができるシステムが非常に望まれる。
【課題を解決するための手段】
【００１１】
特定の実施形態は、局所的な肺機能を測定しイメージングする方法及びシステムを含む。この方法は、患者の少なくとも肺の断面の画像スキャンをトリガし、患者による空気の吸息及び呼息の少なくとも一方の間に肺の断面をスキャンして肺画像データを取得し、患者による空気の吸息及び呼息の少なくとも一方の間に肺機能を測定して肺機能データを取得することを含む。この方法はまた、イメージングにおける肺の断面を特定するために患者のプレビュー・スキャンを実行することを含むことができる。更に、患者の診断に用いるために、肺画像データと肺機能データを組み合わせることができる。肺画像データと肺機能データは、出力することもできる。この方法は更に、肺機能データを処理して、肺の減弱対時間のプロットを生成することを含むことができる。この方法には、全体的な肺の断面及び／又は局所的な肺部位（例えば種々の肺葉）を用いることができる。
【００１２】
特定の実施形態においては、トリガ段階は、患者の肺の空気の流れに基づいて画像スキャンをトリガすることを含む。スキャン段階によって、肺の空気の流れと肺気量の少なくとも１つが変化するときの肺画像データを動的に取得することができる。或いは、スキャン段階によって、肺の空気の流れと肺の空気容量の少なくとも１つが一定に保たれるときの肺画像データを取得することができる。特定の実施形態においては、スキャン段階によって、少なくとも３３ｍｓの掃引の間の肺画像データが取得される。別の実施形態において、スキャン段階によって、多くとも５０ｍｓの掃引の間の肺画像データが取得される。
【００１３】
本システムは、患者のイメージング・スキャンをトリガするトリガと、ターゲットに当てる電子ビームを発生させるエネルギー供給源と、電子ビームに応答して放射線を発生させるターゲットとを含む。放射線は、患者の肺の少なくとも一部に照射される。このシステムはまた、イメージング・スキャンの際に患者の肺に放射線が照射された後に、放射線を受ける検出器と、放射線に基づいて検出器から肺画像データを取得するデータ収集システムと、画像データから断面画像を計算する再構成システムと、患者の診断に用いるために、肺機能データと肺画像データを組み合わせる画像操作システムとを含む。更に、本システムは、患者の肺機能を測定するための肺活量計を含むことができる。肺活量計は、肺の空気の流れと肺の体積の少なくとも１つに基づく肺機能データを生成する。このシステムはまた、肺機能データ及び肺画像データを表示すること、印刷すること、及び格納すること、の少なくとも１つを行うための出力を含むことができる。このシステムはまた、更に処理するために肺機能データと肺画像データをワークステーションに送信することができる。
【００１４】
特定の実施形態においては、イメージング・スキャンは、少なくとも３３ｍｓのイメージング掃引で実行される。別の実施形態においては、イメージング・スキャンは、多くとも５０ｍｓのイメージング掃引で実行される。再構成システムは、肺機能データを処理して肺の減弱対時間のプロットを生成することができる。トリガは、肺活量計からの肺機能データに基づいてイメージング・スキャンをトリガすることができる。トリガはまた、イメージング・スキャンのために肺の一部を特定するために患者のプレビュー・スキャンをトリガすることができる。特定の実施形態においては、データ収集システムは、肺の空気の流れと肺の空気容量の少なくとも１つが変化するときの肺画像データを動的に取得する。或いは、データ収集システムは、肺の空気の流れと肺の空気容量の少なくとも１つが一定に保たれるときの肺画像データを取得することができる。
【００１５】
特定の実施形態は、患者の肺の異常を検出する方法を含む。この方法は、肺の空気の流れと肺の空気体積の少なくとも１つに基づく肺機能データを取得し、肺機能データに基づいて肺のスキャンをトリガし、肺の断面をスキャンして一回の掃引で肺画像を取得し、肺の異常を検出するために、肺機能データを肺断面画像と組み合わせて検査することを含む。
【発明を実施するための最良の形態】
【００１６】
上記の課題を解決するための手段及び以下の本発明を実施するための最良の形態は、添付の図面と共に読むとより理解されるであろう。本発明を図示する目的のために図面に特定の実施形態が示されている。しかしながら、本発明は、添付の図面に示された装置及び手段に限定されるものではないことを理解されたい。
【００１７】
単に例証の目的のために、以下の詳細な説明は電子ビーム断層撮影（ＥＢＴ）イメージングシステムの特定の実施形態について言及するものである。本発明は、ＥＢＴイメージングシステム以外のイメージングシステムに用いることができる点を理解されたい。
【００１８】
本発明の特定の実施形態を説明する前に、ＥＢＴイメージングシステムの動作を理解することは有用である。図１及び図２は、本発明の実施形態に従って形成されたイメージングシステム８を示している。図２に示されるように、システム８は、真空チャンバハウジング１０を含み、該ハウジングにおいて、上流側領域３４に配置された電子源３２のカソードにおいて−１４０ｋＶといった電圧に反応して電子ビーム１２が発生される。次いで、電子ビーム１２は、チャンバハウジング１０の前方の下部１６に配置された少なくとも１つの半円形ターゲット１４をスキャンするために、磁気レンズ３９と偏向コイル４２を含む光学系３８によって制御される。
【００１９】
集束された電子ビーム１２によってスキャンされたときに、ターゲット１４は、移動するＸ線の扇形ビーム１８を放射する。次いでＸ線１８は、被検体２０（例えば患者又は他の物体）の領域を透過し、ターゲット１４とは正反対に配置された検出器アレイ２２上に位置合わせされる。検出器データは、データを処理し記録するプロセッサ又はコンピュータ・サブシステム２４に出力され、ビデオ・モニタ２６上の被検体のスライス画像を生成する。コンピュータ・サブシステム２４はまた、システム８及び該システム内の電子ビームの生成を制御する。
【００２０】
ビーム光学系３８は、チャンバハウジング１０内に取り付けられ、磁気レンズ３９、偏向コイル及び四極子コイル（まとめてコイル４２と呼ぶ）、及び電極組立体４４を含む。レンズ３９とコイル４２は、電子ビームがターゲット１４の１つをスキャンする際に、最終的なビームスポットを楕円形の形状にするのを助ける集束作用に寄与する。
【００２１】
電極組立体４４は、電子源３２とビーム光学組立体３８との間のチャンバハウジング１０内に取り付けられ、電子ビーム１２がｚ軸線２８に沿って軸方向に組立体４４を透過するようにされる。ｚ軸線２８は、チャンバハウジング１０内のビーム光学組立体３８より上流側の電子ビーム１２と同軸である。ｚ軸線２８はまた、チャンバハウジング１０の縦方向軸線と、電極組立体４４及び本発明の実施形態に係るビーム光学組立体３８の対称軸とを表すことができる。別の実施形態においては、ビーム光学組立体３８の軸線は、チャンバの縦方向軸線に対してある角度をなす。ｚ軸線２８はまた、典型的には、スキャンされる被検体２０を通るスキャン軸である。しかしながら、１つの実施形態において、被検体２０が配置される表面を傾斜及び回転させて、ｚ軸線２８と被検体２０の軸線が一致しないようにされてもよい。
【００２２】
被検体２０をスキャンするために、Ｘ線扇形ビーム１８は、種々の位置を通り、又は扇形ビュー角を通るｘ−ｙ平面内で回転される。扇形ビーム１８の中心は、２１０度にわたって回転され、検出器アレイ２２のカドミウム−タングステン酸塩結晶検出器要素又は他の検出器材料のような円弧状の検出器要素によって検出される。一実施形態においては、検出器アレイ２２の検出器リングの各々は、例えば、１７２８カドミウム−タングステン酸塩結晶検出器要素を含むことができる。一実施形態においては、検出器アレイ２２は、種々の数の検出器要素と検出器材料を有する多数の同軸リングを含むことができる。扇形ビーム１８は、再構成サークル内の被検体２０を透過し、検出器アレイ２２に入射する。被検体２０の一回のスキャンにおける検出器アレイ２２の検出器要素によって取得されたデータサンプルが、検出器ファンを構成する。例証として、検出器ファンは、５０ｍｓのスキャンにおける８６４のデータ点又はサンプルを含むことができる。各サンプルは、ターゲット１４から検出器要素までのＸ線経路を表し、これは被検体２０によって減弱される。全ての検出器要素（全ての検出器ファン）からのスキャンを介して収集された全てのデータサンプル（全てのＸ線経路）は、扇形ビューシノグラムを構成する。
【００２３】
図３は、本発明の一実施形態に係るＥＢＴイメージングシステム３００の論理ブロック図である。システム３００は、オペレータ・コンソール３１０、ビーム制御システム３２０、ＥＣＧデジタイザ３２２、高電圧発生器３２４、Ｘ線コリメーション・システム３２６、ターゲットリング３３０、検出器リング３４０、患者位置決め装置３５０、位置決め装置制御システム３５５、データ収集システム（ＤＡＳ）３６０、画像再構成モジュール３６２、画像表示及び操作システム３６４、及び肺活量計３７０（図示せず）を含む。システム３００はまた、画像データを操作及び処理するための外部ワークステーション（図示せず）を含むことができる。ワークステーションは、画像データからの機能曲線を導出することができる。
【００２４】
オペレータ・コンソール３１０、ＥＣＧデジタイザ３２２、高電圧発生器３２４、及び位置決め装置制御システム３５５は、ビーム制御システム３２０と通信して、電子ビームを生成し制御する。ビーム制御システム３２０は、位置決め装置制御システム３５５と通信して、患者位置決め装置３５０を制御する。ビーム制御システム３２０によって、電子ビームがターゲットリング３３０上を掃引する。掃引は、ターゲットリング３３０の一回の横断とすることができる。検出器リング３４０は、例えばターゲットリング３３０からＸ線のような放射線を受ける。ＤＡＳ３６０は、検出器リング３４０からデータを受信する。ＤＡＳ３６０は、画像再構成モジュール３６２にデータを送信する。画像再構成モジュール３６２は、画像表示及び操作システム３６４に画像を送信する。システム３００の構成要素は、別々のユニットであってもよいし、種々の形態で一体化されてもよく、ハードウェア及び／又はソフトウェアに実装されてもよい。
【００２５】
オペレータ・コンソール３１０は、システム３００の作動モードを選択する。オペレータ・コンソール３１０はまた、例えばシステム３００に対してパラメータ又は構成情報を入力することができる。オペレータ・コンソール３１０は、トリガ、スキャンのタイプ、電子ビームの掃引速度、及び患者位置決め装置３５０の位置（例えば水平方向、垂直方向、チルト及び／又は回転）といったパラメータを設定することができる。オペレータは、オペレータ・コンソール３１０を用いてシステム３００に情報を入力することができる。或いは、オペレータ・コンソール３１０で動作を開始させるために、プログラム又は他の自動的手順を用いることができる。オペレータ・コンソール３１０はまた、手順が実行される間のシステム３００の動作及び特性を制御することができる。
【００２６】
オペレータの入力に基づいて、オペレータ・コンソール３１０は、スキャンモード、スキャン構成情報、及びシステムパラメータといった動作情報をビーム制御システム３２０に送信する。一実施形態においては、ＥＣＧデジタイザ３２２が、ビーム制御システム３２０に心電図トリガ信号を送信して、電子ビームの掃引と患者位置決め装置３５０の移動のタイミング取りを支援する。心電図（ＥＣＧ）は、心筋の興奮によって生じる心臓の電気ポテンシャルの変化のトレースである。ＥＣＧは、心房及び心室の活動による電荷及び電圧の時間的変化から生じた動揺の波を含む。Ｐ波は、心房の興奮に起因する動揺である。ＱＲＳ群は、心室の興奮及び脱分極に起因するＱ波、Ｒ波及びＳ波の動揺を含む。Ｒ波は、ＱＲＳ群の最初の上行性の動揺である。Ｔ波は、心室の再分極に起因する動揺である。ＥＣＧデジタイザ３２２は、１つ又はそれ以上のタイプの波（Ｒ波のような）に基づいてＥＣＧトリガをビーム制御システム３２０に送信して、電子ビームとイメージング掃引の制御を支援する。
【００２７】
システム３００は、ＥＣＧトリガに基づいてイメージング掃引を開始及び終了するように構成することができる。ＥＣＧデータからのトリガ点は、ビーム制御システム３２０に予めプログラミングする、及び／又はオペレータ・コンソール３１０によって設定することができる。更に、スキャンは、オペレータ・コンソール３１０によって（例えばボタンを押すことによって）手動でトリガすることができる。
【００２８】
肺活量計３７０又は他の測定装置からのデータが、スキャンをトリガすることができる。肺活量計３７０は、空気といった媒体の流量を測定するのに用いられる。肺活量計３７０は、流れを測定するための電子装置を含む。流れデータは、（例えばソフトウェアによって）スキャンを開始するトリガに変換される。すなわち、トリガは、例えば空気の流れ又は空気の体積に関する閾値集合から生成することができる。外部プロセッサ又はシステム３００の内部にあるプロセッサは、肺活量計３７０からの情報を処理してトリガを生成することができる。
【００２９】
或いは、患者の胸部における動き又は変化を検出するシステム又は方法のいずれもスキャンをトリガするのに用いることができる。例えば、ミラーから胸部に反射された光、胸部のインピーダンスの変化の測定、及び／又は胸部の周りの空気圧ベルトは、トリガとして働くことができる。ユーザコマンドはまた、患者に呼吸挙動を開始するように指示するのと同時に、スキャン・シーケンスをトリガすることができる。
【００３０】
典型的な肺試験は、患者による強制呼気挙動（肺の中の空気を迅速に吐き出すこと）を含む。患者は、深く息を吸い込み、肺活量計３７０が流量を測定する。患者が息を迅速に吐き出すときに肺活量計３７０によって測定された流量変化が、スキャンを開始させる。肺活量計３７０のトリガは、ＥＣＧトリガ又はオペレータ・コンソール３１０のボタントリガといった他のトリガと並行して用いることができる。スキャンは、例えばトリガされた後の数ミリ秒で開始され、その後規則的にサンプリングされる。例えば、スキャンは、１秒間にわたり１００ｍｓ毎に、２秒間にわたり２００ｍｓ毎に、及び３−６秒間にわたり５００ｍｓ毎に行われる５０ｍｓのスキャンとすることができる。体積−時間曲線の全体的な形状がゆるやかな上昇を示す場合には、１００ｍｓ毎のサンプリングは、例えばより長く続くように設定されてもよい。
【００３１】
例えば、肺活量計３７０とＥＢＴビーム制御システム３２０及び／又はオペレータ・コンソール３１０との間に感圧スイッチを接続しても良い。患者による空気の呼息は圧力変化をもたらし、これが肺又は肺セグメントのＥＢＴ３００によるスキャンと肺活量計３７０による測定との両方をトリガする。肺画像及び肺機能データは、画像再構成モジュール３６２及び／又は画像表示及び操作システム３６４によって組み合わせることができる。
【００３２】
単に例証の目的のために、肺物質及び肺機能に関係する微細なレベルの詳細を取得するために、高い時間的分解能の５０ｍｓ又は３０ｍｓの掃引を用いることができる。従って、患者の放射線被爆量を著しく増大させることなく、気腫といった疾患の発現を早期に発見することができる。より高い時間的分解能はまた、画像に現れるモーション・アーチファクトを減少させる。特定の実施形態は、掃引間の任意のタイミングを与え、放射線量を考慮してから肺機能及び肺組成測定を特徴付けるまでの間のサンプリング周波数を最適化させる。
【００３３】
電子ビームを生成するために、高電圧発生器３２４をビーム制御システム３２０に用いても良い。高電圧発生器３２４は、例えば８０又は１３０ミリ秒間のパワー・オン時間をもつＵｎｉｖｅｒｓａｌ  Ｖｏｌｔｒｏｎｉｃｓ又はＳｐｅｌｌｍａｎ電源装置とすることができる。
【００３４】
電子ビームは、ターゲットリング３３０に向けて集束され角度をもたされる。電子ビームは、ターゲットリング３３０上を掃引する。電子ビームがターゲットリング３３０に当たると、ターゲットリング３３０は、例えばＸ線といった扇形の放射線ビームを放出する。ターゲットリング３３０は、例えばタングステン又は他の金属から形成することができる。ターゲットリング３３０は、２１０度の円弧といった円弧状の形状にすることができる。ターゲットリング３３０上の２１０度の各電子ビームの掃引は、ターゲットリング３３０からの３０度の扇形電子ビームといった扇形ビームをもたらす。
【００３５】
ターゲットリング３３０から放射されたＸ線は、患者位置決め装置３５０上に位置付けられた、例えば患者といった被検体を透過する。次いで、Ｘ線は検出器リング３４０に入射する。検出器リング３４０は、Ｘ線の入射に応答して信号を生成する１つ、２つ、又はそれ以上の検出器の列を含んでも良い。信号は、検出器リング３４０からＤＡＳ３６０に送信され、そこで信号が収集され処理される。
【００３６】
検出器リング３４０の信号からのデータは、次いで、ＤＡＳ３６０から画像再構成モジュール３６２に送ることができる。画像再構成モジュール３６２は、データを処理して１つ又はそれ以上の画像を構成する。画像は、静止画像であってもよいし、動画であっても良く、或いは静止画像と動画（映画像）との組み合わせであってもよい。画像再構成モジュール３６２は、例えば、バックプロジェクション、フォワードプロジェクション、フーリエ分析、及び他の再構成方法といった複数の再構成方法を用いても良い。画像は、次いで、調整し、記憶し、及び／又は表示するために画像表示及び操作システム３６４に送信される。
【００３７】
画像表示及び操作システム３６４は、例えば、画像からのアーチファクトを無くすことができ、及び／又はオペレータ・コンソール３１０からの入力又は他の画像要求事項に基づいて画像を修正し又は変更することもできる。画像表示及び操作システム３６４は、例えば画像を内部又は外部メモリに格納することができ、更に該画像を、例えばテレビ、モニタ、平面パネルディスプレイ、ＬＣＤスクリーン、又は他のディスプレイに表示することができる。画像表示及び操作システム３６４はまた、画像を印刷することができる。一実施形態においては、操作システム３６４は、オペレータ・コンソール３１０に組み入れることができる。別の実施形態においては、操作システム３６４は、オペレータ・コンソール３１０と記憶装置を共有する別個のワークステーションであってもよいし、及び／又はオペレータ・コンソール３１０とネットワークで結ばれたものであってもよい。
【００３８】
患者位置決め装置３５０は、例えば患者といった被検体が、ターゲットリング３３０と検出器リング３４０との間に位置させられるようにすることができる。患者位置決め装置３５０は、例えば、テーブル、テーブルバッキー、垂直バッキー、支持体、又は他の位置決め装置とすることができる。患者位置決め装置３５０は、ターゲットリング３３０と検出器リング３４０との間に被検体を位置させて、電子ビームの掃引が検出器リング３４０への途中で被検体を透過した後に、Ｘ線がターゲットリング３３０から放射されるようにする。従って、検出器リング３４０は、被検体を透過したＸ線を受け取る。患者位置決め装置３５０は、段階的又は個別の距離だけ移動することができる。すなわち、患者位置決め装置３５０は、特定距離だけ移動して停止する。次いで患者位置決め装置３５０は再び移動し停止す。患者位置決め装置３５０の停止及び移動運動は、例えば所望の繰り返し数、所望の時間、及び／又は所望の距離だけ繰り返されても良い。或いは、患者位置決め装置３５０は、例えば、所望の時間、ターゲットリング３３０の電子ビーム掃引の所望の数、及び／又は所望の距離だけ連続的に移動されても良いし、或いは患者位置決め装置３５０は移動されなくても良い。一実施形態においては、患者位置決め装置３５０は、各スキャン挙動の間に静止状態に保たれ、次の挙動のために別の位置に動かされるようにすることができる。別の実施形態においては、患者位置決め装置３５０は、患者が肺機能挙動をする際にシステム３００が患者の肺運動に追従するように移動させることができる。
【００３９】
特定の実施形態においては、静止及び／又は動的肺測定値を取得することができる。例えば、肺の局所的又は選択された領域における肺材料の減弱度、すなわち密度の減少を測定することによって、動的な局所的肺機能を測定することができる。気腫といった疾患をもつ患者は、健康な人々が肺に空気を保持するときより長く肺に空気を保持する。通常より長く空気を肺に保持することは、空気トラッピングと呼ばれる。空気トラッピングの結果として、患者が呼気するときの肺材料の減弱度は、典型的に観測されるのと同じ位迅速には増加しない。すなわち、肺の中にある空気がより多くなると、減弱度がより低くなる。肺測定値を用いて、肺の局所的領域における種々の形態のヒストグラムの特徴付けを行うことができる。更に、肺の一部に関連するデータは、輪郭検出フォームを用いて抽出することができる。肺領域の変化、すなわち肺の体積の変化も、局所的肺機能を測定するのに用いることができる。
【００４０】
局所的肺機能の静止測定は、十分に吸息したとき、十分に呼息したとき、又は肺活量計３７０による空気体積が一定に保たれる間のある一定体積のときにおける肺測定を含む。局所的肺機能の静止測定値は、例えば、肺材料の減弱度、気道の形状、及び／又はヒストグラム分布を検査することによって得られる。
【００４１】
本発明の特定の実施形態は、向上された掃引速度及びプログラム可能性による局所的断面イメージング及び局所的肺機能測定を可能にする。システム３００の速度及び融通性は、例えば、トリガ適用可能範囲及び放射量の選択を可能にする。すなわち、画像スキャンは、肺からの空気の呼息か又は患者の心拍数（ＥＣＧトリガ）に基づく種々のトリガ点で取得することができる。システム３００は、患者に過度の不快感を与えることなく、呼吸の吸息及び呼息の間の肺の局所的スライス画像を取得するのに十分なだけ迅速にスキャンする。
【００４２】
作動においては、断面画像は、例えば従来のＣＴ又はＥＢＴシステムと同様にして得ることができる。患者の肺領域は、患者の低線量のプレビューか又はスカウトスキャンに基づいて選択することができる。高速の低Ｘ線被曝プレビュー・スキャンを用いて、肺の低解像度の「マップ」を取得することができる。オペレータは、プレビュー情報に基づいてスキャンし測定するために、肺領域を選択することができる。すなわち、プレビュー・スキャンは、所望の領域の画像を取得するために、患者をどこに位置させるか、及びスキャンをどこで停止し及び開始するのかに関する情報を与える。
【００４３】
特定の実施形態において、患者は、該患者の背部に患者位置決め装置３５０が位置付けられる。患者は、プレビュー・スキャンからの情報を用いて患者位置決め装置３５０上に位置されても良い。特定の実施形態においては、患者の肺は、プレビュー・スキャンから選択された多数の位置でサンプリングされる。
【００４４】
ＥＢＴシステム３００においては、電子ビームは、例えば半径９０ｃｍで患者を囲む２１０度の円弧のターゲット３３０に沿って掃引される。Ｘ線は、ターゲットリング３３０から発生され、Ｘ線コリメーション・システム３２６によって細いビームにコリメートされ、患者が患者位置決め装置３５０上に位置される間に患者の肺の一部に照射される。Ｘ線は、次いで検出器リング３４０に衝突する。
【００４５】
ＤＡＳ３６０は、検出器リング３４０に衝突するＸ線の特性に基づくデータを生成する。肺セグメントにわたる複数のＸ線は、画像再構成システム３６２及び／又は画像表示及び操作システム３６４によって肺の断面画像を生成できるようにする。従来のＥＢＴシステムは、１００ｍｓの掃引で画像データを生成するものであった。特定の実施形態は、持続する５０ｍｓ、３３ｍｓ又はそれよりも短い掃引で画像データを生成する。結果として得られた画像は、肺材料及び肺特徴を描き出し、気腫といった肺の発現状態を示すことができる。
【００４６】
特定の実施形態においては、流量及び肺体積を測定すると共に、イメージング掃引におけるトリガを生成するために、ビーム制御システム３２０又は他のプロセッサが肺活量計３７０と共に用いられる。肺体積は、体積−時間曲線の時間に対する積分である。流量は、体積−時間曲線の微分である。肺活量計３７０からのトリガは、ビーム制御システム３２０に送信される。ビーム制御システム３２０は、肺活量計３７０のトリガに基づいて電子ビームの掃引を制御する。ＤＡＳ３６０は、Ｘ線が衝突すると検出器リング３４０から画像データ信号を受信する。画像再構成モジュール３６２は、画像データ信号から断面画像を再構成する（通常のＣＴ挙動）。画像再構成システム３６２及び／又はＤＡＳ３６０は、肺の減弱度を測定し、肺の輪郭を抽出することができる。画像表示及び操作システム３６４は、減弱度対時間のプロットを生成すると共に、肺の断面画像を表示することができる。
【００４７】
肺における空気のトラッピングは、断面画像における黒色（低密度）領域として現れる。局所的な肺機能測定値は、肺材料の減弱度対時間の曲線として描かれる。肺活量計３７０からの肺機能測定値と、ＤＡＳ３６０、画像再構成システム３６２、及び／又は画像表示及び操作システム３６４からの肺断面画像及びデータを組み合わせて、患者の診断及び処置を改善することができる。
【００４８】
現在のＣＴスキャナ及び他の断面イメージング装置は、肺の一部の断面画像を１００ｍｓ単位で収集することはできない。ＣＴを用いる肺のスキャンは、典型的には、十分に吸息され又は呼息されたときに、或いはその間の定められたポイントにおいて安定して保たれた肺体積によって得られる。こうしたスキャンは、不正確となる可能性があり、長時間保つ場合に患者を不快にさせる。最近のＣＴスキャナ又はＥＢＴスキャナであれば、１０秒より短い時間で肺全体をスキャンすることができるが、こうしたスキャンにより得られるのは、詳細な動画ではなく静止画像である。肺機能は、典型的には、吐き出す空気量及びその速度を測定する肺活量計３７０によって測定される。しかしながら、これらの静的な方法は、肺の疾患が進行しているときには有用であるが、初期疾患を検出するには十分な感度ではなく、そのため介入（薬などの）が最も有益である。本発明の特定の実施形態は、局所的肺セグメントの断面イメージング、並びに肺特性及び肺機能の測定のためのシステム及び方法を提供するものである。
【００４９】
図４は、本発明の一実施形態に係る肺機能の測定と局所的な肺イメージングのための方法４００のフロー図を示す。最初に、段階４０５において、患者位置決め装置３５０上の患者に対して肺活量計３７０を較正する。一実施形態において、「低温」の肺活量計３７０の使用に関する製造業者の推奨に従って肺活量計３７０を較正する。例えば、肺活量計３７０は、室温の読取値で較正される。
【００５０】
次に、段階４１０において、スキャン・プロトコルを選択する。例えば、ユーザは、ＣＴ又はＥＢＴスキャナで実行されるべきスキャンのタイプを選択することができる。一実施形態において、プロトコルは、所定のインターバルに従う１つ又はそれ以上のスキャンによる外部トリガで開始される計時プロトコルである。プロトコルはまた、設定されたインターバルでプロトコルを繰り返すために、患者位置決め装置３５０の動き指定を含むことができる。
【００５１】
次いで、段階４１５において、患者の肺の寸法、位置、及び同様な物の概観を得るために、患者のプレビュー・スキャンを実行する。特定の実施形態において、プレビュー・スキャンは、システム３００に対する患者の肺の基本的なレイアウトを特定するための低線量のスカウトスキャンである。プレビュー・スキャンは、例えば患者の前方／後方及び横方向の透過ビューを与える局所化又はスカウトスキャンとすることができる。プレビュー・スキャンは、局所的な肺のスキャンがどのポイントで開始され停止されるかを決めるのに用いることができる。プレビュー・スキャンは、肺のどのセグメント又は断面を画像にするかを識別するのに用いることができる。
【００５２】
段階４２０において、プレビュー情報に基づいて患者を位置付け、画像スキャンを構成する。プレビュー・スキャンは、システム３００における患者と患者位置決め装置３５０の位置決めを助けることができる。プレビュー又はスカウトスキャン情報を用いて、患者の検査されるべき肺の一部についての１つ又は複数の位置を選択することができる。一実施形態においては、患者位置決め装置３５０は、選択されたスキャン・プロトコルの実行開始時に、しかしトリガが要求される前に定められた位置に移動する。
【００５３】
次に、段階４２５において、肺のスキャンを得るために患者に肺作動（空気を十分に吸息し呼息すること、吸息し息を止めることなど）について指示する。患者との肺活量計３７０の接続部は、患者の口の中に入れられたチューブ又は例えば患者からの空気を捕捉するように設計された他の装置とすることができる。肺活量計３７０は、空気が患者から周囲の環境ではなく肺活量計３７０に移送されることを保証する一助となるマスク又は他のケーシングを含んでもよい。次いで、肺の検査を容易にするための適切な呼吸方法について患者に指示する。例えば、患者は、深く息すなわち空気を吸い込み、緩め、指示されたときに深く吐き出すように指示される。この結果は、体積−時間曲線の形態とすることができる。閾値を設定することができ、得られた体積−時間曲線に基づいてスキャン・プロトコルを修正することができる。
【００５４】
次いで、段階４３０において、患者の肺の局所的部位をスキャンする。スキャンは、例えば、肺活量計３７０によって、オペレータによって、又はプロセッサによって読み取られた患者からの肺体積データによってトリガすることができる。すなわち、肺活量計３７０からのトリガは、スキャン・シーケンスを開始することができ、これによりスキャン・シーケンスの所定の時間において得られるＣＴデータのような画像データが得られる。
【００５５】
段階４３５において、局所的な肺のスキャンから画像を再構成する。肺の一回の吸息／呼息挙動の間に多数の断面画像を収集することができる。特定の実施形態において、患者が複数回息を止めることによって一連の断面画像を得ることができる。画像は、例えば５０ｍｓ、３３ｍｓ又はこれよりも短いタイムスパンで上述のようにターゲットリング３３０上に電子ビームを掃引させることによって得られる。一実施形態において、肺挙動の間の肺の局所的部位の画像を得るために、多数の検出器リングを用いることができる。ビームの掃引から得られた画像データは、多方向のＸ線ビューを含むことができる。肺部位の断面図を示す画像は、例えば従来のＣＴ再構成技術を用いて再構成することができる。
【００５６】
次に、段階４４０において、別の肺位置をスキャンする。一実施形態においては、肺は同じ患者挙動を用いて幾つかの位置でサンプリングすることができる。局所的な肺位置は、１０ｃｍ毎といった規則的なインターバルでスキャンすることができる。局所的な肺位置はまた、例えば肺気道の分岐点の位置といった情報からオペレータによって選択された位置でスキャンすることができる。次いで、段階４３５で上述されたように、得られたデータから画像を再構成する。
【００５７】
段階４４５において、局所的な肺機能データを抽出する。特定の実施形態において、肺機能を肺活量計３７０によって測定する。肺機能は、画像スキャンの前に、画像スキャンの間、又は画像スキャンの後に測定することができる。肺活量計３７０は、肺を通る空気の流れを測定し、例えば流量及び容量の変化を記録することができる。一実施形態において、肺の測定は、動的なものであって画像スキャンの間の空気流の変化を記録することができるか、又は静的なものであって十分に吸息し十分に呼息したときの肺容量と空気の流れを測定することができる。
【００５８】
一実施形態において、得られた画像から肺の所望の部分の面積を抽出することができる。次いで、局所的肺面積を時間の関数としてプロットする。プロットは、肺の局所的部位の体積−時間曲線を与える。面積は、特定のシーケンスからの肺の全面積とすることができる。例えば、より局所的なデータを取得するために、肺葉の境界も用いることができる。別の実施形態において、肺の一部の密度は、時間の関数として検査される。例えば、空気の呼息の終了時に、肺の密度は増大する（空気が少量しか存在しないため）。肺が良好に機能しない場合には、或る領域に空気が捕捉され（例えば通常に吐き出されない）、その結果として通常より密度が低下することになる。一実施形態において、ワークステーションで肺機能データの抽出を行うことができる。処理しデータを抽出するために画像をスキャナからワークステーションに送信することができる。
【００５９】
次いで、段階４５０において、肺機能測定値を断面画像データと組み合わせることができる。特定の実施形態において、肺の減弱度対時間を示すグラフが、肺の空気トラッピング及び異常を示す肺の断面画像と対にされる。更に、局所的肺部位を特徴付けるヒストグラムを形成して、局限的な肺画像と関連付けることができる。肺の体積及び減弱度はまた、例えば気道の形状及び肺の輪郭と併せて分析することができる。一例として、画像の特定の断面に対する最大流量（肺の面積−時間曲線からの面積／時間の最大変化）を抽出し、例えば静止画像上の着色としてプロットすることができる。
【００６０】
最後に、段階４５５において、患者の診断及び／又は処置に用いるために肺のデータ及び画像を出力する（例えば印刷、格納、又は表示）ことができる。一実施形態においては、抽出されたデータ及び画像は、後で引き出すためにアーカイブ媒体、医用画像管理システム（ＰＡＣＳ）、又は他の記憶装置に格納される。
【００６１】
例えば、患者の肺を検査する際に、装置仕様に従って肺活量計３７０を較正する。肺活量計３７０のベースライン読取値を与えるために室温情報を用いる。次いで、ＥＢＴスキャナ３００の流れ−時間プロトコルを選択する。イメージングされる患者は、患者の肺の概観を与えるプレビュースカウトスキャンが実施されている間、深呼吸を保つ。次いで、プレビュー・データを用いて患者を位置決めし、患者の肺が、関心のある肺断面の１つ又はそれ以上のスキャンに適応されるようにする。次に、肺活量計３７０からのチューブを患者の口の中に入れる。患者は、深く息を吸い込み、次いで肺活量計チューブに深く息を吐き出す。肺活量計３７０が０．５リットル毎秒といった所定の空気流の閾値を測定すると、肺断面のスキャンがトリガされる。
【００６２】
数秒間に肺の多数の５０ｍｓスキャンを行い、肺画像を得る。１秒間で１００ｍｓ毎に５０ｍｓスキャンを得る。２秒間の間に２００ｍｓ毎に５０ｍｓスキャンを実行する。次いで、３−６秒間の間に５００ｍｓ毎にスキャンを実行する。患者は、肺の異なる場所をスキャンするために移動又は再位置決めされる。或いは、スキャンは、例えば１００ｍｓの持続時間であってもよい。
【００６３】
局所的な肺の画像は、肺の種々の断面画像を与えるために、複数のスキャンから再構成される。断面画像は、２次元画像として使用し及び／又は格納することができる。断面画像はまた、組み合わされて３次元画像にされてもよい。各断面画像におけるスキャンされた肺の一部の面積が、画像から求められる。従って、異なる時点における肺の一部の面積を多数の画像から求めることができる。局所的な肺の面積は、時間の関数として表示又は分析することができる。空気の流量又は肺の密度も求めることができる。肺又は肺セグメントがもつ閉塞、欠損又は他の問題を画像データ及び肺機能データの分析から識別することができる。
【００６４】
従って、本発明の特定の実施形態は、肺機能の測定値及び肺領域の断面画像を得るための高速な融通性のあるシステム及び方法を与える。特定の実施形態は、種々のトリガを用いて、画像掃引間のデータを取得する任意のタイミングを与え、その一方で、患者のＸ線被爆量を最小限にする。特定の実施形態は、全体的な肺スキャンを実行するのではなく、患者が吸息し及び呼息する際の迅速な局所的肺イメージングを可能にする。特定の実施形態は、患者の不快感を最小にする局所的な肺イメージングを与える。特定の実施形態は、肺の疾患の早期診断及び処置を改善し、肺活量計での肺の空気流の簡単な測定を向上させるために局所的な肺の画像を肺機能測定値と共に用いることを可能にする。
【００６５】
本発明を特定の実施形態について説明してきたが、当業者であれば本発明の範囲から逸脱することなく種々の変更を行うことができ、均等物に置き換えることができることが理解されるであろう。更に、本発明の範囲から逸脱することなく本発明の教示に適応するように、特定の状況又は材料に多くの修正を加えることができる。従って、本発明は、開示された特定の実施形態に限定されるものではなく、特許請求の範囲の請求項の範囲内に含まれる全ての実施形態を含むものである。
【図面の簡単な説明】
【００６６】
【図１】本発明の実施形態に従って用いられるＥＢＴイメージングシステムを示す図。
【図２】本発明の実施形態に係る電子ビーム及びＸ線放射経路を含むＥＢＴイメージングシステムの側面図。
【図３】本発明の実施形態に係るＥＢＴイメージングシステムの論理ブロック図。
【図４】本発明の一実施形態に係る肺機能を測定し局所的に肺イメージングする方法のフロー図。
【符号の説明】
【００６７】
３１０  オペレータ・コンソール
３２０  ビーム制御システム
３２２  ＥＣＧデジタイザ
３２４  高電圧発生器
３２６  Ｘ線コリメーション・システム
３３０  ターゲットリング
３４０  検出器リング
３５０  患者位置決め装置
３５５  位置決め装置制御システム
３６０  データ収集システム
３６２  画像再構成モジュール
３６４  画像表示及び操作システム
【図１】
2005287522.tif 000003
【図２】
2005287522.tif 000004
【図３】
2005287522.tif 000005
【図４】
2005287522.tif 000006
【外国語明細書】
2005287522000001.pdf